(57)【要約】【課題】例えば、環境を汚染し、人間の健康に悪影響を与える物質等の被処理物を処理する処理剤、かかる処理剤を容易かつ安価に製造し得る処理剤の製造方法、および、処理剤を用いて被処理物の処理方法を提供すること。【解決手段】本発明の処理剤は、被処理物に接触させることにより、該被処理物に分解または変質を生じさせるものであり、空気を供給しつつ衝撃を与えた、ひる石を含む鉱石を水に浸漬し、該水中に生成する生成物を有効成分とするものである。この処理剤による処理に供される被処理物としては、塩類、重金属または重金属化合物、ハロゲンまたはハロゲン化合物や、人体に対して毒性を有する物質が好ましい。【選択図】なし【特許請求の範囲】
【請求項１】
被処理物に接触させることにより、該被処理物に分解または変質を生じさせる処理剤であって、
空気を供給しつつ衝撃を与えた、ひる石を含む鉱石を水に浸漬し、該水中に生成する生成物を有効成分とすることを特徴とする処理剤。
【請求項２】
前記衝撃は、前記鉱石を粉砕する際に与えられるものである請求項１に記載の処理剤。
【請求項３】
前記空気の供給量は、０．０１〜１ｍ３／ｓｅｃである請求項１または２に記載の処理剤。
【請求項４】
前記鉱石の水への浸漬は、光を照射しつつ行われる請求項１ないし３のいずれかに記載の処理剤。
【請求項５】
前記水は、糖類を含有する請求項１ないし４のいずれかに記載の処理剤。
【請求項６】
前記糖類は、グルコースを主成分とするものである請求項５に記載の処理剤。
【請求項７】
前記水中における前記糖類の含有量は、５〜２５ｗｔ％である請求項４または５に記載の処理剤。
【請求項８】
前記鉱石を水に浸漬する際の温度は、４〜４０℃である請求項１ないし６のいずれかに記載の処理剤。
【請求項９】
前記生成物は、発酵または腐敗を伴って生成するものである請求項１ないし８のいずれかに記載の処理剤。
【請求項１０】
前記生成物は、発光体を含有する請求項１ないし９のいずれかに記載の処理剤。
【請求項１１】
前記生成物は、当該生成物１００ｇ中に、総窒素量（Ｔ−Ｎ）換算で０．１ｇ以上の窒素化合物を含有するものである請求項１ないし１０のいずれかに記載の処理剤。
【請求項１２】
前記生成物は、その標準酸化還元電位（２５℃）が−５００ｍＶ以上のものである請求項１ないし１１のいずれかに記載の処理剤。
【請求項１３】
前記生成物は、当該生成物を同重量の水に溶解したとき、該溶液の導電率が７５０μＳ／ｃｍ以上となるものである請求項１ないし１２のいずれかに記載の処理剤。
【請求項１４】
前記生成物は、前記水中において、その含有量（Ｂｒｉｘ）が２０日間で５％以上となるものである請求項１ないし１３のいずれかに記載の処理剤。
【請求項１５】
前記生成物は、高温環境下を経ても、前記被処理物を分解または変質する効果が実質的に低下しないか、または、低下しても復元するものである請求項１ないし１４のいずれかに記載の処理剤。
【請求項１６】
前記高温環境は、１００〜３０００℃の環境である請求項１５に記載の処理剤。
【請求項１７】
前記生成物は、高浸透圧環境下を経ても、前記被処理物を分解または変質する効果が実質的に低下しないか、または、低下しても復元するものである請求項１ないし１６のいずれかに記載の処理剤。
【請求項１８】
前記高浸透圧環境は、飽和ＮａＣｌ水溶液または３３ｗｔ％ブドウ糖水溶液である請求項１７に記載の処理剤。
【請求項１９】
前記生成物は、低浸透圧環境下を経ても、前記被処理物を分解または変質する効果が実質的に低下しないか、または、低下しても復元するものである請求項１ないし１８のいずれかに記載の処理剤。
【請求項２０】
前記低浸透圧環境は、水である請求項１９に記載の処理剤。
【請求項２１】
前記生成物は、高ｐＨ環境下を経ても、前記被処理物を分解または変質する効果が実質的に低下しないか、または、低下しても復元するものである請求項１ないし２０のいずれかに記載の処理剤。
【請求項２２】
前記高ｐＨ環境は、ｐＨ１０以上の環境である請求項２１に記載の処理剤。
【請求項２３】
前記生成物は、低ｐＨ環境下を経ても、前記被処理物を分解または変質する効果が実質的に低下しないか、または、低下しても復元するものである請求項１ないし２２のいずれかに記載の処理剤。
【請求項２４】
前記低ｐＨ環境は、ｐＨ３以下の環境である請求項２３に記載の処理剤。
【請求項２５】
前記生成物は、乾燥状態で所定の期間放置しても、前記被処理物を分解または変質する効果が実質的に低下しないか、または、低下しても復元するものである請求項１ないし２４のいずれかに記載の処理剤。
【請求項２６】
前記所定の期間は、１年以上である請求項２５に記載の処理剤。
【請求項２７】
前記生成物の含有量が２５ｗｔ％以上である請求項１ないし２６のいずれかに記載の処理剤。
【請求項２８】
前記被処理物は、塩類である請求項１ないし２７のいずれかに記載の処理剤。
【請求項２９】
前記塩類は、アルカリ金属を含有するものである請求項２８に記載の処理剤。
【請求項３０】
前記被処理物は、重金属または重金属化合物である請求項１ないし２９のいずれかに記載の処理剤。
【請求項３１】
前記被処理物は、ハロゲンまたはハロゲン化合物である請求項１ないし３０のいずれかに記載の処理剤。
【請求項３２】
前記被処理物は、人体に対して毒性を有する物質である請求項１ないし３１のいずれかに記載の処理剤。
【請求項３３】
ひる石を含む鉱石に空気を供給しつつ衝撃を与え、衝撃を与えた該鉱石を水に浸漬し、該水中に生成する生成物を回収して処理剤を製造することを特徴とする処理剤の製造方法。
【請求項３４】
請求項１ないし３２のいずれかに記載の処理剤を被処理物に接触させ、該被処理物に分解または変質を生じさせることを特徴とする処理方法。
【発明の詳細な説明】
【技術分野】
【０００１】
本発明は、処理剤、処理剤の製造方法および処理方法に関するものである。
【背景技術】
【０００２】
近年、六価クロムを始めとする重金属化合物やヒ素、さらにはダイオキシン等による環境の汚染が、社会問題となっている。このような有害物質により環境が汚染されると、大気、飲料水、食物等を通じ、人間の健康に悪影響を与える。
【０００３】
このため、産業廃棄物や、工場排水中から有害物質を除去し、環境の汚染を防止することが、急務となっている。また、有害物質により汚染された土壌や地下水、湖沼等を浄化することも、急務となっている。
【０００４】
このような有害物質を除去する方法としては、例えば、工場排水を活性炭で処理し、活性炭にかかる物質を吸着させる物理化学的方法が知られている（例えば、特許文献１参照。）。
【０００５】
しかし、この方法は、処理の効率が悪いという問題や、有害物質を含有する離脱液を処分する必要があるので、新たに廃棄物が生じることになるという問題がある。
【０００６】
【特許文献１】特開２００３−０１０８４２号公報
【発明の開示】
【発明が解決しようとする課題】
【０００７】
本発明の目的は、例えば、環境を汚染し、人間の健康に悪影響を与える物質等の被処理物を処理する処理剤、かかる処理剤を容易かつ安価に製造し得る処理剤の製造方法、および、処理剤を用いて被処理物の処理方法を提供することにある。
【課題を解決するための手段】
【０００８】
このような目的は、下記（１）〜（３４）の本発明により達成される。
（１）  被処理物に接触させることにより、該被処理物に分解または変質を生じさせる処理剤であって、
空気を供給しつつ衝撃を与えた、ひる石を含む鉱石を水に浸漬し、該水中に生成する生成物を有効成分とすることを特徴とする処理剤。
【０００９】
（２）  前記衝撃は、前記鉱石を粉砕する際に与えられるものである上記（１）に記載の処理剤。
【００１０】
（３）  前記空気の供給量は、０．０１〜１ｍ３／ｓｅｃである上記（１）または（２）に記載の処理剤。
【００１１】
（４）  前記鉱石の水への浸漬は、光を照射しつつ行われる上記（１）ないし（３）のいずれかに記載の処理剤。
【００１２】
（５）  前記水は、糖類を含有する上記（１）ないし（４）のいずれかに記載の処理剤。
【００１３】
（６）  前記糖類は、グルコースを主成分とするものである上記（５）に記載の処理剤。
【００１４】
（７）  前記水中における前記糖類の含有量は、５〜２５ｗｔ％である上記（４）または（５）に記載の処理剤。
【００１５】
（８）  前記鉱石を水に浸漬する際の温度は、４〜４０℃である上記（１）ないし（６）のいずれかに記載の処理剤。
【００１６】
（９）  前記生成物は、発酵または腐敗を伴って生成するものである上記（１）ないし（８）のいずれかに記載の処理剤。
【００１７】
（１０）  前記生成物は、発光体を含有する上記（１）ないし（９）のいずれかに記載の処理剤。
【００１８】
（１１）  前記生成物は、当該生成物１００ｇ中に、総窒素量（Ｔ−Ｎ）換算で０．１ｇ以上の窒素化合物を含有するものである上記（１）ないし（１０）のいずれかに記載の処理剤。
【００１９】
（１２）  前記生成物は、その標準酸化還元電位（２５℃）が−５００ｍＶ以上のものである上記（１）ないし（１１）のいずれかに記載の処理剤。
【００２０】
（１３）  前記生成物は、当該生成物を同重量の水に溶解したとき、該溶液の導電率が７５０μＳ／ｃｍ以上となるものである上記（１）ないし（１２）のいずれかに記載の処理剤。
【００２１】
（１４）  前記生成物は、前記水中において、その含有量（Ｂｒｉｘ）が２０日間で５％以上となるものである上記（１）ないし（１３）のいずれかに記載の処理剤。
【００２２】
（１５）  前記生成物は、高温環境下を経ても、前記被処理物を分解または変質する効果が実質的に低下しないか、または、低下しても復元するものである上記（１）ないし（１４）のいずれかに記載の処理剤。
【００２３】
（１６）  前記高温環境は、１００〜３０００℃の環境である上記（１５）に記載の処理剤。
【００２４】
（１７）  前記生成物は、高浸透圧環境下を経ても、前記被処理物を分解または変質する効果が実質的に低下しないか、または、低下しても復元するものである上記（１）ないし（１６）のいずれかに記載の処理剤。
【００２５】
（１８）  前記高浸透圧環境は、飽和ＮａＣｌ水溶液または３３ｗｔ％ブドウ糖水溶液である上記（１７）に記載の処理剤。
【００２６】
（１９）  前記生成物は、低浸透圧環境下を経ても、前記被処理物を分解または変質する効果が実質的に低下しないか、または、低下しても復元するものである上記（１）ないし（１８）のいずれかに記載の処理剤。
【００２７】
（２０）  前記低浸透圧環境は、水である上記（１９）に記載の処理剤。
【００２８】
（２１）  前記生成物は、高ｐＨ環境下を経ても、前記被処理物を分解または変質する効果が実質的に低下しないか、または、低下しても復元するものである上記（１）ないし（２０）のいずれかに記載の処理剤。
【００２９】
（２２）  前記高ｐＨ環境は、ｐＨ１０以上の環境である上記（２１）に記載の処理剤。
【００３０】
（２３）  前記生成物は、低ｐＨ環境下を経ても、前記被処理物を分解または変質する効果が実質的に低下しないか、または、低下しても復元するものである上記（１）ないし（２２）のいずれかに記載の処理剤。
【００３１】
（２４）  前記低ｐＨ環境は、ｐＨ３以下の環境である上記（２３）に記載の処理剤。
【００３２】
（２５）  前記生成物は、乾燥状態で所定の期間放置しても、前記被処理物を分解または変質する効果が実質的に低下しないか、または、低下しても復元するものである上記（１）ないし（２４）のいずれかに記載の処理剤。
【００３３】
（２６）  前記所定の期間は、１年以上である上記（２５）に記載の処理剤。
【００３４】
（２７）  前記生成物の含有量が２５ｗｔ％以上である上記（１）ないし（２６）のいずれかに記載の処理剤。
【００３５】
（２８）  前記被処理物は、塩類である上記（１）ないし（２７）のいずれかに記載の処理剤。
【００３６】
（２９）  前記塩類は、アルカリ金属を含有するものである上記（２８）に記載の処理剤。
【００３７】
（３０）  前記被処理物は、重金属または重金属化合物である上記（１）ないし（２９）のいずれかに記載の処理剤。
【００３８】
（３１）  前記被処理物は、ハロゲンまたはハロゲン化合物である上記（１）ないし（３０）のいずれかに記載の処理剤。
【００３９】
（３２）  前記被処理物は、人体に対して毒性を有する物質である上記（１）ないし（３１）のいずれかに記載の処理剤。
【００４０】
（３３）  ひる石を含む鉱石に空気を供給しつつ衝撃を与え、衝撃を与えた該鉱石を水に浸漬し、該水中に生成する生成物を回収して処理剤を製造することを特徴とする処理剤の製造方法。
【００４１】
（３４）  上記（１）ないし（３２）のいずれかに記載の処理剤を被処理物に接触させ、該被処理物に分解または変質を生じさせることを特徴とする処理方法。
【発明の効果】
【００４２】
本発明によれば、様々な被処理物の処理が可能である。
例えば、本発明によれば、塩類を処理することができる。
【００４３】
例えば、本発明によれば、重金属や重金属化合物を処理することができる。
例えば、本発明によれば、ハロゲンまたはハロゲン化合物を処理することができる。
【００４４】
例えば、本発明によれば、人体に対し毒性を有する物質を処理することができる。
このように、本発明は、多用途に用いることができる。
【００４５】
特に、本発明によれば、重金属、重金属化合物、ヒ素、ヒ素化合物等の従来処理が困難であった物質をも処理することができる。
【００４６】
特に、本発明によれば、有害な物質を無毒化、無害化、または毒性を低下させることができる。
【００４７】
また、本発明によれば、単に被処理物に接触させるだけで、その処理を行うことができるので、処理方法も極めて簡単である。
【００４８】
また、本発明の処理剤は、保存中の安定性が高く、長期間安定して保存することができる。しかも、必要時にいつでもそれを用いて処理を行うことができる。
【００４９】
また、本発明の処理剤は、生体に対して危険性がなく、取扱いも容易である。
本発明によれば、かかる処理剤を容易かつ安価に製造することができる。
【発明を実施するための最良の形態】
【００５０】
以下、本発明の処理剤、処理剤の製造方法および処理方法を好適実施例に基づいて詳細に説明する。
【００５１】
本発明の処理剤は、被処理物に接触させることにより、この被処理物に分解または変質を生じさせる（以下、「被処理物を処理する」と言う。）ものであり、空気を供給しつつ衝撃を与えた、ひる石（閃雲花崗閃緑岩）を含む鉱石を水に浸漬し、この水中に生成する生成物を回収し、回収した生成物を有効成分とするものである。
【００５２】
ここで、被処理物の変質とは、被処理物を酸化、還元すること、被処理物の活性、毒性を低下させること、被処理物を無臭化することを意味する。
【００５３】
鉱石への衝撃は、鉱石を粉砕（破砕）する際に与えられるものであるのが好ましい。これにより、鉱石に十分に大きい衝撃を与えることができる。
【００５４】
なお、鉱石を破砕する際には、各種粉砕装置を用いることができる。
粉砕装置の回転速度（回転数）は、５００〜７０００ｒｐｍであるのが好ましく、１０００〜５０００ｒｐｍであるのがより好ましく、２０００〜５０００ｒｐｍであるのがさらに好ましい。このような回転速度で鉱石を粉砕することにより、鉱石に十分な衝撃を与えることができる。
【００５５】
空気の供給量（流量）は、０．０１〜１ｍ３／ｓｅｃであるのが好ましく、０．１〜０．５ｍ３／ｓｅｃであるのがより好ましく、０．２〜０．３ｍ３／ｓｅｃであるのがさらに好ましい。これにより、生成物をより効率よく生成させることができる。
【００５６】
また、鉱石は、遮光した状態で水に浸漬してもよいが、光を照射した状態で水に浸漬するようにするのが好ましい。これにより、生成物を効率よく生成させることができる。なお、照射する光としては、可視光が好適である。
【００５７】
さらに、鉱石を浸漬する水は、各種物質（添加剤）を含有してもよく、少なくとも糖類を含有するのが好ましい。これにより、生成物をより効率よく生成させることができる。
【００５８】
糖類としては、例えば、グルコース、フルクトース、ガラクトース、マンノースのような単糖類、マルトース、スクロース、ラクトース、セルビオースのような二糖類等が挙げられ、これらのうちの１種または２種以上を組み合わせて用いることができる。これらの中でも、糖類としては、グルコースを主成分とするものが好適である。これにより、生成物の生成効率がより高まる。
【００５９】
水中における糖類の含有量は、５〜２５ｗｔ％程度であるのが好ましく、１０〜２０ｗｔ％程度であるのがより好ましい。これにより、前記効果がより向上する。
【００６０】
また、鉱石を水に浸漬する際の温度は、特に限定されないが、４〜１００℃であるのが好ましく、１０〜１００℃であるのがより好ましい。これにより、生成物の生成効率がより高まる。
【００６１】
本発明の処理剤としては、前記水中に生成する生成物を、例えば、自然乾燥、強制乾燥、凍結乾燥等により乾燥させたものを、そのまま用いることができる他、適当な液体に溶解（混合）して液体として用いることもできる。
【００６２】
処理剤を液体として用いる場合、処理剤（処理液）中における生成物の含有量は、２５ｗｔ％以上であるのが好ましく、３５ｗｔ％以上であるのがより好ましく、５０ｗｔ％以上であるのがさらに好ましい。このような含有量であると被処理物をより効率よく処理することができる。
【００６３】
なお、生成物を溶解させる液体としては、例えば、蒸留水、イオン交換水、純水、超純水、ＲＯ水のような各種水、エタノールのようなアルコール類、酸性水、アルカリ水、塩水（海水）等が挙げられ、これらを単独または混合液として用いることができる。
【００６４】
このような生成物には、例えば、微生物、この微生物が産生するタンパク質、アミノ酸や核酸等が含まれ、これらのもの（生物関連物）が被処理物の処理に直接的に関与しているものと考えられる。
【００６５】
そして、かかる生成物は、以下に示す条件Ｉ〜VIのうちの１つを満足するものが好ましく、任意の２以上を満足するものがより好ましい。かかる条件を満足する生成物を処理剤に用いることにより、被処理物の処理効率が特に高いものとなる。
【００６６】
Ｉ：生成物は、発酵または発酵を伴って生成するものであるのが好ましい。
II：生成物は、発光体を含有するものであるのが好ましい。
【００６７】
III：生成物は、当該生成物１００ｇ中に、総窒素量（Ｔ−Ｎ）換算で０．１ｇ以上（好ましくは０．５ｇ以上、より好ましくは１ｇ以上）の窒素化合物を含有するものであるのが好ましい。
【００６８】
IV：生成物は、その標準酸化還元電位（２５℃）が−５００ｍＶ以上のものであるのが好ましく、−８００ｍＶ以上のものであるのがより好ましい。
【００６９】
Ｖ：生成物は、当該生成物を同重量の水に溶解したとき、この溶液の導電率が７５０μＳ／ｃｍ以上となるものであるのが好ましく、２０００μＳ／ｃｍ以上となるものであるのがより好ましい。
【００７０】
VI：生成物は、鉱石を浸漬した水中において、その含有量（濃度：Ｂｒｉｘ）が２０日間で５％以上（好ましくは７．５％以上、より好ましくは１０％以上）となるものであるのが好ましい。
【００７１】
また、生成物は、以下に示す条件Ａ〜Ｆのうちの１つを満足するものが好ましく、任意の２以上を満足するものがより好ましい。かかる条件を満足する生成物を被処理に用いることにより、被処理物が存在する環境によらず、被処理物を確実に処理することができる。
【００７２】
Ａ：生成物は、高温環境下を経ても、被処理物を分解または変質する効果が実質的に低下しないか、または、低下しても復元するものであるのが好ましい。なお、この高温環境としては、好ましくは１００〜３０００℃の環境であり、より好ましくは、２００〜２０００℃の環境である。なお、高温環境に曝される時間は、好ましくは５分間〜２４時間程度とされる。
【００７３】
Ｂ：生成物は、高浸透圧環境下を経ても、被処理物を分解または変質する効果が実質的に低下しないか、または、低下しても復元するものであるのが好ましい。なお、この高浸透圧環境としては、好ましくは飽和ＮａＣｌ水溶液または３３ｗｔ％ブドウ糖水溶液である。
【００７４】
Ｃ：生成物は、低浸透圧環境下を経ても、被処理物を分解または変質する効果が実質的に低下しないか、または、低下しても復元するものであるのが好ましい。なお、この低浸透圧環境は、好ましくは水である。
【００７５】
Ｄ：生成物は、高ｐＨ環境下を経ても、被処理物を分解または変質する効果が実質的に低下しないか、または、低下しても復元するものであるのが好ましい。なお、この高ｐＨ環境は、好ましくはｐＨ１０以上の環境であり、より好ましくはｐＨ１１以上の環境であり、さらに好ましくはｐＨ１３以上の環境である。
【００７６】
Ｅ：生成物は、低ｐＨ環境下を経ても、被処理物を分解または変質する効果が実質的に低下しないか、または、低下しても復元するものであるのが好ましい。なお、この低ｐＨ環境は、好ましくはｐＨ３以下の環境であり、より好ましくはｐＨ１以下の環境であり、さらに好ましくはｐＨ０．１以下の環境である。
【００７７】
Ｆ：生成物は、乾燥状態で所定の期間放置しても、被処理物を分解または変質する効果が実質的に低下しないものであるのが好ましい。なお、所定の期間は、好ましくは１年以上であり、より好ましくは３年以上であり、さらに好ましくは５〜２０年である。
【００７８】
このような処理剤による処理に供される被処理物としては、例えば、塩類が挙げられる。塩類としては、例えば、ＮａＣｌ、ＫＣｌのようなアルカリ金属塩、ＭｇＣｌ２のようなアルカリ土類金属塩等が挙げられる。
【００７９】
特に、塩類の処理に際しては、塩類を含む液体中において、ＡＴＰ（アデノシン三リン酸）を所定量となるように調整するのが好ましい。具体的には、ＡＴＰ量が、ＲＬＵ（Ｒｅｌａｔｉｖｅ  Ｌｉｇｈｔ  Ｕｎｉｔ）値で、１万〜７万程度であるのが好ましく、３万〜５万程度であるのがより好ましい。これにより、塩類に分解または変質をより確実に生じさせることができる。
【００８０】
また、被処理物としては、例えば、重金属を始めとする金属が挙げられる。重金属としては、例えば、スズ、鉛、水銀、カドミウム、亜鉛、銅、ニッケル、鉄、マンガン、クロム等が挙げられる。さらに、被処理物として、これら重金属の化合物すなわち重金属化合物やその他金属化合物が挙げられる。重金属化合物としては、例えば、有機水銀、有機スズ、有機鉛等が挙げられる。
【００８１】
特に、重金属の処理に際しては、重金属を含む液体中において、生成物が５％（Ｂｒｉｘ）以上含まれるようにするのが好ましく、７．５％（Ｂｒｉｘ）以上含まれるようにするのがより好ましく、１０％（Ｂｒｉｘ）以上含まれるようにするのがさらに好ましい。これにより、重金属に分解または変質をより確実に生じさせることができる。
【００８２】
また、被処理物としては、例えば、ハロゲン（例えばフッ素ガス、塩素ガス等）やハロゲン化合物が挙げられる。ハロゲン化合物の例としては、例えば、塩化水素、フロン等が挙げられる。
【００８３】
また、被処理物としては、例えば、人体に対し毒性を有する物質が挙げられる。このような物質としては、例えば、鉛、水銀、有機水銀、有機スズ、六価クロム等の重金属や重金属化合物、ダイオキシン、ＰＣＢ等の芳香族化合物や芳香族含有化合物、ハロゲン化合物、各種農薬、ヒ素、ヒ素化合物、有機リン化合物、セレン、青酸化合物、エンドトキシン、大気汚染物質、環境ホルモン類、毒ガス等の化学兵器等が挙げられる。
【００８４】
以上、例示したものの他、被処理物としては、例えば、芳香族化合物や芳香族含有化合物、大気汚染物質、アルコール類、各種タンパク質や各種糖類、農林業廃棄物、発酵廃棄物、臭気を発する物質、腐敗物、生物の死骸、動物の排泄物、各種色素等が挙げられる。
【００８５】
芳香族化合物や芳香族含有化合物の例としては、例えば、ベンゼン、トルエン、キシレン、クロロベンゼン、フェノール、安息香酸、ピリジン、ナフタレン、アントラセン、フェナントレン、ダイオキシン、ＰＣＢ、２，４−ジクロロフェノキシ酢酸、ＤＤＴ、リグニン等が挙げられる。
【００８６】
また、大気汚染物質の例としては、例えば、ＮＯｘ−、ＳＯｘ―、塩化水素、フロン等のフッ素化合物等が挙げられる。
【００８７】
また、アルコール類の例としては、例えば、メタノール、エタノール、プロパノール、ブタノールのような低級アルコール、各種高級アルコール、各種多価アルコール等が挙げられる。
【００８８】
また、糖類の例としては、例えば、デンプン、セルロース等の多糖類、スクロース、マルトース等の二糖類、グルコース、リボース等の単糖類等が挙げられ、タンパク質の例としては、例えば、コラーゲン、ケラチン、プリオン等が挙げられる。
【００８９】
また、農林業廃棄物の例としては、例えば、稲ワラ、木材チップ等が挙げられる。
また、発酵廃棄物の例としては、例えば、培養液、微生物菌体等が挙げられる。
【００９０】
また、臭気を発する物質の例としては、例えば、アンモニア、硫化水素、メルカプタン等の各種イオウ化合物、インドール、古米等の古くなった食品等が挙げられる。
【００９１】
また、腐敗物の例としては、例えば、生ゴミ、腐敗した食品等が挙げられる。
また、生物の死骸の例としては、例えば、動物（微生物も含む）の死骸、アオコ等が挙げられる。
【００９２】
また、動物の排泄物の例としては、例えば、人間や家畜の糞尿等が挙げられる。
また、色素としては、天然色素、合成色素のいずれでもよい。本発明の処理剤により色素が処理されることにより、変色、脱色が生じる。
【００９３】
このように、本発明の処理剤によれば、上述したような様々な物質の処理が可能である。すなわち、本発明の処理剤を用いて物質を処理する場合、広範囲のものに適用可能であり、応用範囲が広い。また、例えば土壌や液体あるいは固体中に多種の被処理物を含んでいても、これらのうちの全部または一部を同時にまたは選択的に分解することができるようになる。
【００９４】
なお、本発明では、被処理物を処理する際の被処理物の形態は特に限定されず、様々な形態の被処理物を処理することが可能である。例えば、本発明では、固体の被処理物、液体の被処理物、液体に溶解または分散した被処理物（工業排水、農業排水、家庭排水等も含む）、土壌や汚泥中に拡散した被処理物等、様々な形態の被処理物を処理することが可能である。
【００９５】
被処理物が固体の場合、被処理物に処理剤を接触させる方法としては、例えば、液体の処理剤を被処理物にシャワー状に供給する方法、被処理物と処理剤とを混合する方法等が挙げられる。
【００９６】
被処理物が液体の場合（被処理物が液体に溶解または分散している場合）、被処理物に処理剤を接触させる方法としては、例えば、液体に処理剤を添加する方法、処理剤に液体を通過させる方法等が挙げられる。
【００９７】
なお、被処理物に処理剤を接触させる際の温度は、０〜８０℃であることが好ましく、１０〜４５℃であることがより好ましい。被処理物に処理剤を接触させるときの温度がこの範囲内であると、より効率的に被処理物の処理を行うことができる。
【００９８】
以上、本発明の処理剤、処理剤の製造方法および処理方法について説明したが、本発明は、これに限定されるものではない。
【実施例】
【００９９】
１．生成物の調製
（処理剤Ａ）
［１］  まず、ひる石を含む鉱石を用意し、粉砕装置（相互産業社製、「衝撃式」）を用いて、回転速度５０００ｒｐｍ×１分間で粉砕した。
なお、このとき、装置内に空気を流量０．３ｍ３／ｓｅｃで供給した。
【０１００】
［２］  次に、粉砕物に、この粉砕物がほぼ完全に浸漬する程度の１０ｗｔ％グルコース水溶液を添加して、擬似太陽灯（可視光）により光を照射しつつ、常温（２０℃）で２０日間放置した。
なお、放置後１４日目から発酵が確認された。
【０１０１】
［３］  次に、濾紙を用いて、鉱石等の固形分を濾別して、上清を回収した。
なお、回収した上清中には、光学顕微鏡による観察により、発光体が確認された。
【０１０２】
［４］  次に、回収した上清から水分を留去した後、乾燥することにより、生成物を得、これを処理剤Ａとした。
なお、上清中における生成物の含有量（Ｂｒｉｘ）は、約１２％であった。
【０１０３】
また、窒素量測定装置（筑波総合科学研究所製、「ユニメーターＵＭ−１」）を用いて、生成物中の窒素化合物の含有量を測定した結果、生成物１００ｇ中に総窒素量換算で１．６４ｇの窒素化合物が含まれることが確認された。
【０１０４】
また、生成物の標準酸化還元電位（２５℃）は、−５１４ｍＶであった。
また、生成物の一部を採取し、同重量の蒸留水に溶解して調製した溶液の導電率は、２４００μＳ／ｃｍであった。
【０１０５】
（処理剤Ｂ）
前記と同様にして得られた生成物を、さらに２００℃で１０分間加熱したものを処理剤Ｂとした。
【０１０６】
２．被処理物の処理
２−１．ＮａＣｌの処理
処理剤Ａおよび処理剤Ｂを用いて、それぞれ、以下の実験を行った。
【０１０７】
１．５ｗｔ％のＮａＣｌ水溶液：４００ｍＬに、処理剤Ａ：１００ｇを添加し、攪拌しつつ６０日間放置した。
【０１０８】
なお、ＮａＣｌ水溶液に処理剤Ａを添加した直後において、ＮａＣｌ水溶液中のＡＴＰ量は、ＲＬＵ値で５万であった。
【０１０９】
そして、６０日経過後に、ＮａＣｌ水溶液中のＮａＣｌ濃度を測定したところ、０．１ｗｔ％に低下していた。
【０１１０】
一方、１．５ｗｔ％のＮａＣｌ水溶液：４００ｍＬに、処理剤Ｂ：５０ｇを添加し、攪拌しつつ６０日間放置した。
【０１１１】
なお、ＮａＣｌ水溶液に処理剤Ａを添加した直後において、ＮａＣｌ水溶液中のＡＴＰ量は、ＲＬＵ値で３万であった。
【０１１２】
そして、６０日経過後に、ＮａＣｌ水溶液中のＮａＣｌ濃度を測定したところ、０．５ｗｔ％に低下していた。
【０１１３】
なお、前記ＡＴＰ量の測定には、ルシパックワイド装置（キッコーマン株式会社製、「ルミテスター  ＰＤ−１０」）を用いた。
【０１１４】
２−２．フッ素の処理
処理剤Ｂを用いて、以下の実験を行った。
【０１１５】
３２ｍｇ／Ｌのフッ素化合物含有水溶液（温泉水）：４００ｍＬに、処理剤Ｂ：５０ｇを添加し、攪拌しつつ１２日間放置した。
【０１１６】
そして、１２日経過後に、フッ素化合物含有水溶液中のフッ素化合物濃度を測定したところ、検出限界以下に低下していた。
【０１１７】
２−３．六価クロムの処理
処理剤Ｂを用いて、以下の実験を行った。
【０１１８】
５０ｍｇ／Ｌの六価クロム（Ｃｒ６＋）含有水溶液：４００ｍＬに、処理剤Ｂ：５０ｇ（Ｂｒｉｘ：約１１％）を添加し、攪拌した。
【０１１９】
そして、５分経過後に、六価クロム含有水溶液中の六価クロム濃度を測定したところ、検出限界以下に低下していた。
なお、この測定は、ＪＩＳ  Ｋ  ０１０２  規格６５．２．３に基づいて行った。
【０１２０】
また、六価クロム含有水溶液は、実験前には、黄色がかった色を呈していたが、３日経過後には、その色がほぼ消滅していた（無色となっていた）。
【０１２１】
２−４．ヒ素の処理
２．８ｍｇ／Ｌのヒ素（Ａｓ３＋およびＡｓ５＋）含有水溶液：４００ｍＬに、処理剤Ｂ：５０ｇ（Ｂｒｉｘ：約１１％）を添加し、攪拌した。
【０１２２】
そして、３０分経過後に、ヒ素含有水溶液中のヒ素濃度を測定したところ、検出限界以下に低下していた。
なお、この測定は、ＪＩＳ  Ｋ  ０１０２−６１．２に基づいて行った。
【０１２３】
また、処理剤Ａおよび処理剤Ｂを、それぞれ、飽和ＮａＣｌ水溶液に溶解して、室温に１０日間放置した後、十分にＮａＣｌを除去し、乾燥させた。これらのものを用いて、それぞれ、前記と同様にして被処理物の処理を行ったが、前記とほぼ同等の結果であった。すなわち、効果の低下は認められなかった。
【０１２４】
また、処理剤Ａおよび処理剤Ｂを、それぞれ、蒸留水に溶解して、室温に１０日間放置した後、乾燥させた。これらのものを用いて、それぞれ、前記と同様にして被処理物の処理を行ったが、前記とほぼ同等の結果であった。すなわち、効果の低下は認められなかった。
【０１２５】
また、処理剤Ａおよび処理剤Ｂを、それぞれ、ｐＨ１３のアルカリ溶液に溶解して、室温に１０日間放置し、中和した後、生成した塩を十分に除去し、乾燥させた。これらのものを用いて、それぞれ、前記と同様にして被処理物の処理を行ったが、前記とほぼ同等の結果であった。すなわち、効果の低下は認められなかった。
【０１２６】
また、処理剤Ａおよび処理剤Ｂを、それぞれ、ｐＨ０．１の酸溶液に溶解して、室温に１０日間放置し、中和した後、生成した塩を十分に除去し、乾燥させた。これらのものを用いて、それぞれ、前記と同様にして被処理物の処理を行ったが、前記とほぼ同等の結果であった。すなわち、効果の低下は認められなかった。
【０１２７】
また、処理剤Ａおよび処理剤Ｂと同様にして、約１９年前に製造したもの（乾燥状態で保存）を用いて、前記と同様にして被処理物の処理を行ったところ、前記と同様の結果が得られた。
【０１２８】
また、処理剤Ａおよび処理剤Ｂを用いて、それぞれ、芳香族化合物や芳香族含有化合物、大気汚染物質、アルコール類、各種タンパク質や各種糖類、農林業廃棄物、発酵廃棄物、臭気を発する物質、腐敗物、生物の死骸、動物の排泄物や各種色素を処理したところ、これらに分解または変質が生じることが確認された。